(57)【要約】【課題】劣化診断精度を向上させ得る電池の劣化診断装置を提供する。【解決手段】電池にあらかじめ設定された周波数範囲内の交流信号を供給して、該電池のインピーダンススペクトルを測定する測定部と、インピーダンススペクトルに基づいて、電池の劣化診断を行う評価部を備えた電池の劣化診断装置において、評価部３には、インピーダンススペクトルの円弧状部と直線状部との境界部となる極値を検出する検出手段と、極値の実部インピーダンスを算出し、該実部インピーダンスに基づいて電池の劣化診断を行う判定手段を備えた。【選択図】図１
2019015664.tif 000002
【特許請求の範囲】
【請求項１】
あらかじめ設定された周波数範囲内の交流信号を電池に供給して、該電池のインピーダンススペクトルを測定する測定部と、
前記インピーダンススペクトルに基づいて、前記電池の劣化診断を行う評価部と
を備えた電池の劣化診断装置において、
前記評価部には、
前記インピーダンススペクトルの円弧状部と直線状部との境界部となる極値を検出する検出手段と、
前記極値の実部インピーダンスを算出し、該実部インピーダンスに基づいて前記電池の劣化診断を行う判定手段と
を備えたことを特徴とする電池の劣化診断装置。
【請求項２】
請求項１に記載の電池の劣化診断装置において、
前記評価部には、前記電池の放電容量維持率と前記実部インピーダンスとの関係を測定したデータをあらかじめ格納したデータテーブルを備え、
前記判定手段は、前記データテーブルに格納されたデータに基づいて、前記実部インピーダンスがあらかじめ設定された放電容量維持率に対応する実部インピーダンスを超えるとき、当該電池を劣化状態と判定することを特徴とする電池の劣化診断装置。
【請求項３】
請求項２に記載の電池の劣化診断装置において、
前記測定部は、前記電池の充電量及び温度があらかじめ設定された条件を満たすとき、前記インピーダンススペクトルを測定することを特徴とする電池の劣化診断装置。
【請求項４】
請求項３に記載の電池の劣化診断装置において、
前記評価部は、前記検出手段で極値が検出されないとき、前記測定部で前記電池に供給する交流信号の周波数範囲を拡大して前記インピーダンススペクトルを測定することを特徴とする電池の劣化診断装置。
【請求項５】
あらかじめ設定された周波数範囲内の交流信号を電池に供給して、該電池のインピーダンススペクトルを測定し、前記インピーダンススペクトルに基づいて、前記電池の劣化診断を行う電池の劣化診断方法において、
前記インピーダンススペクトルの円弧状部と直線状部との境界部となる極値を検出し、前記極値の実部インピーダンスを算出し、該実部インピーダンスに基づいて前記電池の劣化診断を行うことを特徴とする電池の劣化診断方法。
【請求項６】
請求項５に記載の電池の劣化診断方法において、
前記実部インピーダンスがあらかじめ設定された放電容量維持率に対応する実部インピーダンスを超えるとき、当該電池を劣化状態と判定することを特徴とする電池の劣化診断方法。
【発明の詳細な説明】
【技術分野】
【０００１】
本発明は、電力を蓄電する定置用蓄電池システムに使用されるリチウムイオン電池の劣化診断装置及び劣化診断方法に関するものである。
【背景技術】
【０００２】
太陽光や風力等の再生可能エネルギーから生成される電力は、定置用蓄電システムに蓄電されて、出力電力の平滑化が図られている。近年、定置用蓄電システムに使用する蓄電池として、リチウムイオン電池の普及が進んでいる。
【０００３】
リチウムイオン電池は、課電時間、温度、充放電回数等の影響を受けて電池材料の劣化が進み、結果として電池容量（許容放電電力）が次第に減少する。このため、蓄電システムとして安定した充放電機能を発揮させるためには、リチウムイオン電池の劣化状態を把握し、劣化が進んだ電池を交換することが必要である。
【０００４】
そこで、リチウムイオン電池の劣化状態を診断するために、種々の劣化診断方法が提案されている。
特許文献１には、劣化診断の対象となるリチウムイオン電池に所定の周波数帯域の交流信号を印加してインピーダンススペクトルを測定し、そのインピーダンススペクトルに基づいて劣化診断を行う方法が開示されている。
【０００５】
この診断方法では、得られたインピーダンススペクトルの実部インピーダンスと虚部インピーダンスを複素平面上にナイキスト線図として表すと、図６に示すような円弧状部Ｃ１と直線状部Ｓ１からなるスペクトルが得られる。円弧状部Ｃ１は、リチウムイオン電池の正極及び負極の容量に由来するスペクトルであり、直線状部Ｓ１はリチウムイオンの電極内への拡散に由来するスペクトルである。
【０００６】
図６に示すスペクトルにおいて、リチウムイオン電池の劣化が進むにつれて、円弧状部Ｃ１及び直線状部Ｓ１がインピーダンスの増大方向、すなわち右方かつ斜め上方に向かってスライドする。
【０００７】
次いで、円弧状部Ｃ１の頂点Ｐと原点とを結ぶ直線Ｌと複素平面の横軸（実部インピーダンスＲｅＺ軸）との間の角度θを求める。そして、リチウムイオン電池の劣化が進むにつれて円弧状部Ｃ１の頂点Ｐが図６において右方かつ上方へスライドして角度θが増大することから、角度θあるいはｔａｎθを評価パラメータとして算出することにより劣化診断が行われる。
【先行技術文献】
【特許文献】
【０００８】
【特許文献１】ＷＯ２０１２／９５９１３号公報
【発明の概要】
【発明が解決しようとする課題】
【０００９】
特許文献１に開示された劣化診断方法では、円弧状部Ｃ１に正極及び負極の容量に由来して複数の円弧が表れるとき、いずれの円弧の頂点で角度θを算出するかによって算出される劣化度合いが異なってしまう。
【００１０】
また、図７に示すように、なだらかな曲線を描く円弧状部Ｃ２がスペクトルとして得られた場合には、円弧状部Ｃ２の形状が僅かに変化すると、円弧状部Ｃ２の頂点の位置が大きく変化する。この結果、評価パラメータとして算出される角度θが大きく変動するため、正確な劣化診断を行うことができない。
【００１１】
この発明はこのような事情に鑑みてなされたものであり、その目的は劣化診断精度を向上させ得る電池の劣化診断装置を提供することにある。
【課題を解決するための手段】
【００１２】
上記課題を解決する電池の劣化診断装置は、あらかじめ設定された周波数範囲内の交流信号を電池に供給して、該電池のインピーダンススペクトルを測定する測定部と、前記インピーダンススペクトルに基づいて、前記電池の劣化診断を行う評価部を備えた電池の劣化診断装置において、前記評価部には、前記インピーダンススペクトルの円弧状部と直線状部との境界部となる極値を検出する検出手段と、前記極値の実部インピーダンスを算出し、該実部インピーダンスに基づいて前記電池の劣化診断を行う判定手段を備えたことを特徴とする。
【００１３】
この構成により、インピーダンススペクトルの極値の実部インピーダンスに基づいて電池の劣化診断が行われる。
また、上記の電池の劣化診断装置において、前記評価部には、前記電池の放電容量維持率と前記実部インピーダンスとの関係を測定したデータをあらかじめ格納したデータテーブルを備え、前記判定手段は、前記データテーブルに格納されたデータに基づいて、前記実部インピーダンスがあらかじめ設定された放電容量維持率に対応する実部インピーダンスを超えるとき、当該電池を劣化状態と判定することが好ましい。
【００１４】
この構成により、極値の実部インピーダンスがあらかじめ設定された放電容量維持率に対応する実部インピーダンスを超えるとき、当該電池が劣化状態と判定される。
また、上記の電池の劣化診断装置は、前記測定部は、前記電池の充電量及び温度があらかじめ設定された条件を満たすとき、前記インピーダンススペクトルを測定することが好ましい。
【００１５】
この構成により、電池の充電量及び温度があらかじめ設定された条件を満たすとき、当該電池の劣化診断が行われる。
また、上記の電池の劣化診断装置は、前記評価部は、前記検出手段で極値が検出されないとき、前記測定部で前記電池に供給する交流信号の周波数範囲を拡大して前記インピーダンススペクトルを測定することが好ましい。
【００１６】
この構成により、インピーダンススペクトルの測定範囲が拡大されて、極値が確実に検出される。
上記課題を解決する電池の劣化診断方法は、あらかじめ設定された周波数範囲内の交流信号を電池に供給して、該電池のインピーダンススペクトルを測定し、前記インピーダンススペクトルに基づいて、前記電池の劣化診断を行う電池の劣化診断方法において、前記インピーダンススペクトルの円弧状部と直線状部との境界部となる極値を検出し、前記極値の実部インピーダンスを算出し、該実部インピーダンスに基づいて前記電池の劣化診断を行うことを特徴とする。
【００１７】
この方法により、インピーダンススペクトルの極値の実部インピーダンスに基づいて電池の劣化診断が行われる。
また、上記の電池の劣化診断方法は、前記実部インピーダンスがあらかじめ設定された放電容量維持率に対応する実部インピーダンスを超えるとき、当該電池を劣化状態と判定することが好ましい。
【００１８】
この方法により、極値の実部インピーダンスがあらかじめ設定された放電容量維持率に対応する実部インピーダンスを超えるとき、当該電池が劣化状態と判定される。
【発明の効果】
【００１９】
本発明の電池の劣化診断装置によれば、電池の劣化診断精度を向上させることができる。
【図面の簡単な説明】
【００２０】
【図１】劣化診断装置を示すブロック図。
【図２】インピーダンススペクトルを示す説明図。
【図３】放電容量維持率と実部インピーダンスとの関係を示す説明図。
【図４】放電容量維持率と極値の周波数との関係を示す説明図。
【図５】劣化診断装置の動作を示すフローチャート。
【図６】従来の劣化診断方法を示す説明図。
【図７】従来の劣化診断方法を示す説明図。
【発明を実施するための形態】
【００２１】
以下、本発明を具体化した一実施形態を図面に従って説明する。図１に示す劣化診断装置は、診断対象電池であるリチウムイオン電池１のインピーダンススペクトルを測定する測定部２と、測定されたインピーダンススペクトルに基づいて、診断対象電池の劣化診断を行うとともに、測定部２の動作を制御する評価部３を備える。
【００２２】
測定部２は、発振器４と、電流測定器５と、電圧測定器６と周波数応答解析装置（ＦＲＡ）７を備えている。
発振器４は、リチウムイオン電池１のインピーダンススペクトルを測定するために、あらかじめ設定された周波数帯域の交流信号をリチウムイオン電池１に出力する。
【００２３】
電流測定器５は、発振器４とリチウムイオン電池１に対し直列に接続され、発振器４から出力される交流信号に基づいてリチウムイオン電池１に流れる電流値を測定する。そして、検出された測定値は、周波数応答解析装置７に出力される。
【００２４】
電圧測定器６は、一対の入力端子が、交流信号を出力する発振器４の一対の出力端子に接続されて、発振器４の出力電圧を測定する。そして検出された測定値は、周波数応答解析装置７に出力される。
【００２５】
周波数応答解析装置７は、電流測定器５と電圧測定器６の測定値に基づいて、診断対象のリチウムイオン電池１のインピーダンススペクトルを離散フーリエ変換により算出し、図２に示すようなナイキスト線図を生成するためのデータを算出し、評価部３に出力する。
【００２６】
このデータは、あらかじめ設定された周波数帯域において、一定間隔の周波数毎に算出される。そして、周波数毎のデータを複素平面上に表すと、図２に示すナイキスト線図Ｎが得られる。同図において、横軸は実部インピーダンスＲｅＺであり、縦軸は虚部インピーダンスＩｍＺである。
【００２７】
図２において、測定された各周波数のインピーダンススペクトルは、周波数が低くなるほど横軸上を右側に移動する。そして、高周波数側でリチウムイオン電池の正極及び負極の容量に由来する円弧状部Ｃ２が表れ、低周波数側でリチウムイオンの電極内への拡散に由来する直線状部Ｓ２が表れる。また、円弧状部Ｃ２と直線状部Ｓ２との境界には周波数の下降にともなって虚部インピーダンスが下降から上昇に転じる極値Ｐが表れる。
【００２８】
リチウムイオン電池１には温度計８が設置され、その温度計８で測定されたリチウムイオン電池１の温度が評価部３に出力される。
定置用蓄電池システムでは、多数のリチウムイオン電池を接続して構成される蓄電池モジュールがコンテナ内に収容され、そのコンテナには図１に示す空調装置１０が設置されている。
【００２９】
評価部３は、劣化診断時に、リチウムイオン電池１の温度が２５℃±２℃の範囲内であるとき、測定部２を制御して当該リチウムイオン電池１の劣化診断を行う動作を開始する。また、リチウムイオン電池１の温度が２５℃±２℃の範囲外であるときには、リチウムイオン電池１の温度が２５℃±２℃の範囲内となるように空調装置１０を作動させる。
【００３０】
評価部３は、周波数応答解析装置７で算出されたインピーダンススペクトルに基づいて極値Ｐを算出し、その極値Ｐの実部インピーダンスに基づいて、診断対象のリチウムイオン電池１の劣化診断を行う機能を備えている。そして、極値Ｐの実部インピーダンスに基づいてリチウムイオン電池１の劣化診断を行うために、あらかじめデータテーブル９を備えている。
【００３１】
図３は、データテーブル９の一例を示す。このテーブルは、放電容量維持率の異なる多数のリチウムイオン電池について、測定部２あるいは測定部２と同様な測定装置で、インピーダンススペクトルの極値の実部インピーダンスを測定したデータがあらかじめ格納されている。同図において、放電容量維持率１００％は劣化していない電池であり、放電容量維持率が低下するほど劣化が進んだ電池である。
【００３２】
放電容量維持率の異なる多数のリチウムイオン電池は、あらかじめ設定された一定の条件で充放電サイクル試験を行うことにより生成され、各電池の実部インピーダンスを測定することにより、放電容量維持率に対する実部インピーダンス特性Ａ，Ｂが得られる。因みに、実部インピーダンス特性Ａは、周囲温度が２５℃で充放電サイクル試験を行った場合であり、実部インピーダンス特性Ｂは、周囲温度が４０℃で充放電サイクル試験を行った場合である。
【００３３】
同図に示すように、放電容量維持率が１００％のリチウムイオン電池の極値の実部インピーダンスは約６０ｍΩであり、放電容量維持率が６０％まで低下すると、極値の実部インピーダンスは１２０ｍΩを超える。そこで、評価部３では実部インピーダンスが初期インピーダンスの２倍を超えるとき、すなわち放電容量維持率が１００％のときの実部インピーダンスの２倍を超えるとき、放電容量維持率が６０％未満となっていると判定するように設定されている。
【００３４】
図４は、放電容量維持率の異なる多数のリチウムイオン電池について、放電容量維持率に対しインピーダンススペクトルが極値となる周波数特性Ｆ１，Ｆ２を示す。周波数特性Ｆ１は、リチウムイオン電池の周囲温度が２５℃で充放電サイクル試験を行った場合であり、周波数特性Ｆ２は周囲温度が４０℃で充放電サイクル試験を行った場合である。
【００３５】
同図に示すように、放電容量維持率が１００％から６０％の範囲で極値Ｐの周波数は約２Ｈｚから０．０８Ｈｚの範囲となる。
そこで、診断対象のリチウムイオン電池１のインピーダンススペクトルを測定する際に、発振器４からリチウムイオン電池１に出力する交流電流は、通常時には１０Ｈｚ〜０．１Ｈｚに設定され、この範囲で極値Ｐが検出できないときには、さらに０．１Ｈｚ〜０．０１Ｈｚの範囲でインピーダンススペクトルが測定される。
【００３６】
次に、上記のように構成された劣化診断装置の作用を説明する。
図５に示すように、リチウムイオン電池１の劣化診断が開始されると、評価部３はまず診断対象のリチウムイオン電池１のインピーダンスを測定するための条件が満たされるか否かを判定する（ステップ１〜３）。測定条件は、充電量（ＳＯＣ；state of charge）が５０％、電池温度が２５℃±２℃の範囲内である。
【００３７】
条件を満たさない場合には、ＳＯＣが５０％となるようにリチウムイオン電池１を充電し、あるいは放電させ、電池温度が２５℃±２℃の範囲内となるように空調装置１０を作動させる（ステップ４）。
【００３８】
インピーダンス測定条件が満たされると、測定部２によりリチウムイオン電池１のインピーダンスが測定される（ステップ５）。すなわち、発振器４からリチウムイオン電池１に例えば電流振幅が±１００ｍＡで、周波数が１０Ｈｚ〜０．１Ｈｚの範囲となる交流電流を供給し、図２に示すようなインピーダンススペクトルが測定されて、評価部３に出力される。
【００３９】
次いで、評価部３で測定されたインピーダンススペクトルの極値Ｐが検出される（ステップ６）。ここで、極値Ｐが検出できないときには、リチウムイオン電池１に出力する交流電流の周波数を例えば０．０１Ｈｚまで下げて、再度インピーダンススペクトルを測定し（ステップ７）、ステップ６で極値Ｐを再度検出する。
【００４０】
ステップ６で、極値Ｐが検出されると、評価部３で極値Ｐの実部インピーダンスＺが算出される（ステップ８）。そして、極値Ｐの実部インピーダンスＺが当該リチウムイオン電池１の初期インピーダンスの２倍以下であるか否かが判定される（ステップ９）。
【００４１】
図３に示すようなデータテーブルにおいて、極値Ｐの実部インピーダンスＺが初期インピーダンスの２倍を超えると、当該リチウムイオン電池１の放電容量維持率は６０％未満となる（ステップ１０）。言い換えれば、放電容量維持率が６０％未満となるとき、実部インピーダンスＺは初期インピーダンスの２倍を超える。
【００４２】
評価部３では、放電容量維持率が６０％未満となるとき、当該リチウムイオン電池１の劣化が進んで継続使用不可あると判定し（ステップ１１）、例えば当該リチウムイオン電池１の交換を促す表示を行い、劣化診断を終了する。
【００４３】
ステップ９で、極値Ｐの実部インピーダンスＺが初期インピーダンスの２倍以下である場合には、当該リチウムイオン電池１の放電容量維持率が６０％以上であるので（ステップ１２）、当該リチウムイオン電池１を継続使用可能である旨の表示を行い、劣化診断を終了する。
【００４４】
上記のように構成された劣化診断装置では、次に示す効果を得ることができる。
（１）診断対象となるリチウムイオン電池１のインピーダンススペクトルを測定し、そのインピーダンススペクトルの円弧状部Ｃ２と直線状部Ｓ２の境界部の極値Ｐの実部インピーダンスＺを算出する。そして、その実部インピーダンスＺから放電容量維持率を算出することにより、リチウムイオン電池１の劣化度合いを診断することができる。
【００４５】
（２）極値Ｐは、円弧状部Ｃ２と直線状部Ｓ２の境界部として精度よく検出することができる。そして、極値Ｐの実部インピーダンスＺと、あらかじめ設定されているデータテーブル９に基づいて、診断対象のリチウムイオン電池１の放電容量維持率を正確に算出することができる。従って、リチウムイオン電池１の劣化度合いの診断精度を向上させることができる。
【００４６】
（３）診断対象のリチウムイオン電池１のインピーダンススペクトルを測定して極値Ｐの実部インピーダンスＺを算出し、その実部インピーダンスＺとデータテーブル９に格納されているデータに基づいて、リチウムイオン電池１の劣化診断を速やかに行うことができる。
【００４７】
なお、上記実施形態は以下のように変更してもよい。
・継続使用の可否を判定するための放電容量維持率のしきい値は、上記のような６０％に限定されるものではなく、リチウムイオン電池の特性に応じて任意の数値に設定することもできる。
【００４８】
・診断対象となる電池は、リチウムイオン電池以外の蓄電池としてもよい。
【符号の説明】
【００４９】
１…電池（リチウムイオン電池）、２…測定部、３…評価部（検出手段、判定手段）、Ｃ２…円弧状部、Ｓ２…直線状部、Ｐ…極値。
【図１】
2019015664.tif 000003
【図２】
2019015664.tif 000004
【図３】
2019015664.tif 000005
【図４】
2019015664.tif 000006
【図５】
2019015664.tif 000007
【図６】
2019015664.tif 000008
【図７】
2019015664.tif 000009